(57)【要約】【課題】従来の田植作業形態で田植えを行うと、枕地部分が最後に残り、その枕地に苗を植付ける為に、枕地を植付け作業をせずに後進で走る走行が必要となって、圃場を荒らしてしまい枕地での苗の植付け姿勢が悪くて、作業能率も悪いものであった。【解決手段】乗用型走行車体１にリンク機構９により上下動可能に苗植装置１０を設け、圃場内を植付走行する際に次行程の走行路のセンターラインを地面に線引きする左右線引きマーカー３２・３２を各々機体の左右に設けた乗用型苗植機において、該乗用型走行車体１の操縦座席８よりも車体前方に支持フレーム１９・１９設け、該支持フレーム１９・１９に左右予備苗載部１８・１８を設けると共に、該支持フレーム１９・１９に植付走行する際に機体の側方に該乗用型苗植機が走行して全条植付けできる幅を確認できる畦マーカー７０を操縦座席８より前方に設けた乗用型苗植機。【選択図】図１１
2004208700.tif 000002
【特許請求の範囲】
【請求項１】
乗用型走行車体１にリンク機構９により上下動可能に苗植装置１０を設け、圃場内を植付走行する際に次行程の走行路のセンターラインを地面に線引きする左右線引きマーカー３２・３２を各々機体の左右に設けた乗用型苗植機において、該乗用型走行車体１の操縦座席８よりも車体前方に支持フレーム１９・１９設け、該支持フレーム１９・１９に左右予備苗載部１８・１８を設けると共に、該支持フレーム１９・１９に植付走行する際に機体の側方に該乗用型苗植機が走行して全条植付けできる幅を確認できる畦マーカー７０を操縦座席８より前方に設けたことを特徴とする乗用型苗植機。
【発明の詳細な説明】
【技術分野】
【０００１】
この発明は、圃場内を植付走行する際に次行程の走行路のセンターラインを地面に線引きする左右線引きマーカーを装備した乗用型苗植機に関するものである。
【背景技術】
【０００２】
従来、圃場内を往復植付走行する際に次行程の走行路のセンタ−ラインを地面に線引きする左右線引きマーカーを備え、該左右線引きマーカーが左右両側とも線引き作用する状態と左右片側のみ線引き作用する状態と左右両側とも線引き作用しない状態に切替え可能に設けた田植機が開示されている。
【特許文献１】特開平４−７５５１０号公報
【発明の開示】
【発明が解決しようとする課題】
【０００３】
然し乍ら、上記の田植機にて従来の田植作業形態で田植えを行うと、枕地部分が最後に残り、その枕地に苗を植付ける為に、図１４に示すように、枕地を植付け作業をせずに後進で走る走行Ｘが必要となって、圃場を荒らしてしまい枕地での苗の植付け姿勢が非常に悪いと共に、出入口ＥＮＴ部の角部Ｙは植付け作業ができず後で手植えしないとならず、非常に作業能率が悪いものであった。
【課題を解決するための手段】
【０００４】
請求項１記載の発明は、乗用型走行車体１にリンク機構９により上下動可能に苗植装置１０を設け、圃場内を植付走行する際に次行程の走行路のセンターラインを地面に線引きする左右線引きマーカー３２・３２を各々機体の左右に設けた乗用型苗植機において、該乗用型走行車体１の操縦座席８よりも車体前方に支持フレーム１９・１９設け、該支持フレーム１９・１９に左右予備苗載部１８・１８を設けると共に、該支持フレーム１９・１９に植付走行する際に機体の側方に該乗用型苗植機が走行して全条植付けできる幅を確認できる畦マーカー７０を操縦座席８より前方に設けた乗用型苗植機としたものである。
【０００５】
従って、圃場で畦マーカー７０を畦際ライン上に位置するように操向しながら、畦に沿って植付走行すると、苗を植付けていない部分が機体を走行させて全条植付けできる幅となる。よって、圃場の全周にちょうど機体が走行して全条植付けできる幅ができるように苗植作業が行える。この時、左右予備苗載部１８・１８を設けた支持フレーム１９・１９に植付走行する際に機体の側方に該乗用型苗植機が走行して全条植付けできる幅を確認できる畦マーカー７０を操縦座席８より前方に設けたので、操縦者は前を向いたまま容易にその畦マーカー７０を確認することができる。そして、最後にこの圃場の全周を苗植作業してそのまま圃場から出ることができ、非常に作業能率が良く、然も、圃場を荒らすことが従来例に比して少ないので枕地での苗の植付け姿勢も良くなる。
【発明の効果】
【０００６】
上記のように乗用型苗植機を構成することにより、最後に、圃場の全周を苗植作業してそのまま圃場から出ることができ、非常に作業能率が良く、然も、圃場を荒らすことが従来例に比して少ないので枕地での苗の植付け姿勢も良くなる。
【発明を実施するための最良の形態】
【０００７】
乗用型走行車体１の操縦座席８よりも車体前方に支持フレーム１９・１９設け、該支持フレーム１９・１９に左右予備苗載部１８・１８を設けると共に、該支持フレーム１９・１９に植付走行する際に機体の側方に該乗用型田植機が走行して全条植付けできる幅を確認できる畦マーカー７０を操縦座席８より前方に設けた乗用型田植機の構成とした。
【実施例１】
【０００８】
図面に基づいて、この発明の一実施例である６条植えの乗用型田植機について説明する。１は乗用型走行車体であって、機体の後部にエンジンを搭載し、機体の前部に変速レバー２にてエンジンの回転駆動力が変速される変速機構と前輪デフ機構と後輪デフ機構とが内蔵されている走行ミッションケースを設けている。
【０００９】
３・３は左右操向駆動前輪であって、操縦ハンドル４にて操向されるように設けられている。５・５は左右駆動後輪であって、左右クラッチペダル６・６の踏込操作により該左右サイドクラッチが切れ且つ左右サイドブレーキが利くように駆動構成されている。即ち、左右クラッチペダル６・６の踏込操作をした側の駆動後輪５・５の駆動が停止されブレーキが利くようになっている。
【００１０】
７はＦＲＰにて成型された車体カバーであって、エンジンの周囲を覆うエンジンカバー部７ａと、前記エンジンの前方及び左右側方に設けられたステップ７ｂと、ハンドルポストカバー７ｃと、エンジンの後方に設けられたステップ７ｄとが一体形成され、機体上に着脱固定自在に構成されている。８は前記車体カバー７上面に設置固定された操縦座席で、操縦者が着座して機体を操向する操縦位置となる。
【００１１】
９は上部リンク９ａと下部リンク９ｂとにより構成されるリンク機構であって、基端部は乗用型走行車体１の機体に固着された支持フレームに枢着され、後端部は後述の苗植装置１０の機枠に枢着されている。そして、油圧シリンダー５０の基部が乗用型走行車体１の機体に枢着され、ピストンの後端が上部リンク９ａと一体のアーム９ｃに連結されている油圧シリンダー５０にて上記リンク機構９は上下動されて苗植装置１０が上下動できるように構成されている。
【００１２】
苗植装置１０は、フレームを兼ねる植付伝動ケース１１と、該植付伝動ケース１１に設けられた支持部材に支持されて機体左右方向に往復動する苗載台１２と、植付伝動ケース１１の後端部に装着され前記苗載台１２の下端より１株分づつの苗を分割して圃場に植え付ける６つの苗植付け装置１３…と、植付伝動ケース１１の下部にその後部が枢支されてその前部が上下揺動自在に装着された整地体である中央整地フロート１４・左右整地フロート１５・１５等にて構成されている。左右整地フロート１５・１５は、各々左右駆動後輪５・５の後方に配置されており、該左右駆動後輪５・５にて掻き乱された圃場を整地すると共に苗植付け装置１３にて苗が植付けられる圃場の前方を整地すべく設けられている。そして、中央整地フロート１４は、その前部を油圧バルブに連繋しており、中央整地フロート１４の前部が外力にて適正範囲以上に持ち上げられた時には油圧ポンプにて圧油を油圧シリンダー５０に送り込んでピストンを突出させリンク機構９を上動させて苗植装置１０を所定位置まで上昇せしめ、また、中央整地フロート１４の前部が適正範囲以上に下がった時には油圧シリンダー５０内の圧油をタンクに戻してリンク機構９を下動させて苗植装置１０を所定位置まで下降せしめ、そして、中央整地フロート１４の前部が適正範囲にあるとき(苗植装置１０が適正な所定位置にある時)には油圧シリンダー５０内の圧油の出入りを止めて苗植装置１０を一定位置に保持せしめるべく設けられている。即ち、中央整地フロート１４を植付装置１０の自動高さ制御のための接地センサーとして用いている。
【００１３】
１６は施肥装置の肥料タンクであって、乗用型走行車体１の機体後部に固着されており、該施肥タンク１６と、その下部に装着され施肥タンク１６内の粒状肥料を一定量づつ繰り出す肥料繰出装置と、該肥料繰出装置にて繰り出された肥料を案内する透明の施肥パイプと、中央整地フロート１４・左右整地フロート１５・１５に固着され苗植付け位置側方の圃場に施肥溝を掘り施肥パイプにて案内された粒状肥料を該施肥溝内に落下案内する作溝器とにより施肥装置が構成されている。
【００１４】
１７は車体カバー７より突出して操縦座席８の右側方に設けられた操作レバーであって、走行ミッションケースに設けられたＰＴＯクラッチを操作して施肥装置及び苗植装置１０への動力を入切り操作できるように構成されていると共に、油圧バルブを操作して手動にて苗植装置１０を上下動できるようにも構成されている。即ち、操作レバー１７は、ＰＴＯクラッチが入り施肥装置及び苗植装置１０が駆動され且つ油圧バルブが中央整地フロート１４の上下動にて切換えられる自動制御状態となる植付け作業位置と、ＰＴＯクラッチが切りで且つ油圧バルブが中央整地フロート１４の上下動にて切換えられる自動制御状態になる下降位置と、ＰＴＯクラッチが切れ施肥装置及び苗植装置１０の作動が停止し且つ油圧バルブが強制的に苗植装置１０を上昇する側に切換えられて苗植装置１０が上昇される上昇位置と、ＰＴＯクラッチが切れ施肥装置及び苗植装置１０の作動が停止し且つ油圧バルブが油圧シリンダー５０内の圧油の出入りを止めて苗植装置１０を一定位置に保持せしめる位置に切換えられて苗植装置１０が上昇も下降もしない固定位置とに操作できるようになっている。
【００１５】
１８・１８は乗用型走行車体１の前部左右位置に設けられた左右予備苗載部であって、機体に基部が固定された支持フレーム１９の中途部に縦フレーム２０を立設し、この縦フレーム２０の上端と中途部とに上下回転支持板２１・２１の基部を固着し、この上下回転支持板２１・２１に設けた支持孔２２・２２に予備苗載台支柱２３を挿通して、該支柱２３を回転自在に支持している。この支柱２３に４段の予備苗載台２４を設けて、育苗箱ごと４枚の苗を載置できるように構成している。２５は支柱２３に固着された鉄パイプよりなる枠体で、育苗箱から苗を掬って取り出す時に用いる苗掬い板２６を上方より挿入して支持できるように構成している。
【００１６】
２７は縦フレーム２０に基部が枢支された回転用ペダルであって、該ペダル２７に係止ピン２８の基部を枢支し、該係止ピン２８の先端は支柱２３に固着した係止円板２９に形成した３つの係止孔３０…の何れかに挿入できるように構成されており、ペダル２７を踏むとバネ３１に抗して係止ピン２８がイ方向に下動して係止孔３０から外れて予備苗載台２４が回転できるようになる。そして、ペダル２７を踏み込みを止めると、バネ３１の付勢力にて係止ピン２８が反イ方向に上動し、係止孔３０…の何れかに挿入して回転を固定する。
【００１７】
このように、予備苗載台２４は、図２に実線にて示す機体外方に突出した位置と矢印ハの終端位置まで略１８０度回転させた機体内方に収納した位置と両位置の中間位置（図１に実線にて示す機体外方に突出した位置から９０度回転させた位置）とに回動して固定できるように構成されている。３２・３２は左右線引きマーカーであって、前記予備苗載台支柱２３に固着された横フレーム２３ａの先端に基部が固着されたマーカー支持フレーム３５の先端部に上下回動自在に枢着されている。そして、この左右線引きマーカー３２・３２は、圃場内で往復走行して植付作業するときに、作業走行中に未植付側の泥土面に線引きマーカー体３２ａを滑走させて、次行程作業走行路のセンターラインを線引き作用するものである。
【００１８】
３４は走行車体２の前端部左右中央位置に設けられたセンターマスコットで、このセンターマスコット３４を前行程で線引きマーカー３２にて線引きされたセンターラインに合わせて植付作業走行すれば、前行程作業走行時に植え付けられた苗の隣接条に対して所定の条間隔で植付作業走行することができる。線引きマーカー３２の基部には断面コ字状の回動部６０が設けてあり、この回動部６０がマーカー支持フレーム３５の先端部に枢支ピン３８にて回動自在に枢着され、バネ３９にて線引きマーカー３２が作用位置となるロ方向に下動するよう付勢されている。そして、回動部６０に基端が固着されたパイプ６１の先端部には、筒状体６２が回動自在に外嵌されており、その筒状体６２には下端に線引きマーカー体３２ａが設けられた杆体６３の上端が固着されている。
【００１９】
６４はパイプ６１に固着されたストッパーで、その先端部６４ａが筒状体６２の段部６２ａに接当することにより筒状体６２の一定方向の回動を阻止する。また、６５はストッパー６４と前記杆体６３との間に設けられた巻きバネで、ストッパー６４の先端部６４ａと筒状体６２の段部６２ａとが接当する方向に杆体６３が回動するように付勢するよう設けられている。即ち、ストッパー６４の先端部６４ａと筒状体６２の段部６２ａとが接当した状態で、マーカー体３２ａは圃場面に対して適正な線引き姿勢となり、硬い土塊等の障害物にマーカー体３２ａが当った時や杆体６３が障害物に当った時に、筒状体６２が巻きバネに抗して回動し、杆体６３及びマーカー体３２ａの破損を防止できる構成となっている。
【００２０】
６６はＣ型止め輪であって、筒状体６２を所定位置に規制するものである。６７はパイプ６１に後述の畦マーカー７０を止める為の係止ピンであって、そのピン部６７ａがパイプ６１に基部が固着された支持体６８を貫通した状態で設けられており、該支持体６８と係止ピンに固着の板体６７ｂとの間に圧縮バネ６９が装着されている。然して、係止ピン６７の把持部６７ｃを持って圧縮バネ６９に抗して引っ張ると、ピン部６７ａがパイプ６１の内部空間から抜けるようになっている。
【００２１】
一方、前記苗植装置１０を上動すべくリンク機構９が上動されると引っ張られるように構成された操作ワイヤ４０の先端がマーカー３２の基部の回動部６０に連繋されており、苗植装置１０を上動すべくリンク機構９が上動されると左右線引きマーカー３２・３２は図３のように収納された位置となり、苗植え作業の為に苗植装置１０を下動すべくリンク機構９が下動されると周知の左右選択機構にて左右何れかの操作ワイヤ４０が弛んでその選択された側のマーカー３２が図４のように線引き作用位置となるように構成されている。そして、左右線引きマーカー３２・３２は、左右予備苗載台２４の回転により、各々左右予備苗載台２４と共に回転して作用位置と収納位置とになる。
【００２２】
ここで、左右線引きマーカー３２の構成を更に詳述すると、操作ワイヤ４０・４０の他端側は、そのインナーワイヤー４０ａがリンク機構９を昇降駆動する油圧シリンダー５０のピストン部５０ａに連結され、アウター４０ｂが油圧シリンダー５０のシリンダ部５０ｂに連結されている。よって、田植作業中に枕地で旋回走行するときに苗植装置１０を水田面から高く上昇させるが、このとき油圧シリンダー５０のピストン部５０ａがシリンダ部５０ｂから突出作動して、操作ワイヤ４０・４０のインナーワイヤー４０ａが引かれる。これにより、横倒しになって線引き作用姿勢にある線引きマーカー３２は引き上げられて起立し非線引き作用姿勢に切り替わる。
【００２３】
一方、左右一対の操作ワイヤ４０・４０には、油圧シリンダー５０のピストン部５０ａがシリンダ部５０ｂ内に引っ込み作動しても前記ワイヤー４０・４０のインナーワイヤー４０ａ・４０ａが引き戻されないようにロックするロック機構Ｌが設けられている。枕地での旋回が終了して苗植装置１０を下降させたとき、ロック機構Ｌにより、操作ワイヤ４０・４０がロックされていれば、線引きマーカー３２は線引き作用姿勢に移動しない。また、ロック機構Ｌにより、操作ワイヤ４０・４０が非ロック状態であれば、線引きマーカー３２はバネ３９の付勢により横倒しの線引き作用姿勢に移動する。但し、ロック機構Ｌは、油圧シリンダー５０のピストン部５０ａが突出作動してインナーワイヤー４０ａを油圧シリンダ側に引っ張る動作に対してはロック作用しない。そして、このロック機構Ｌは、左右両方のインナーワイヤー４０ａをロックするように操作できるし、苗植装置１０の上昇操作の度に左右一方のみ交互に自動的に切替可能にロックするようにも操作できる。また、左右両方のインナーワイヤー４０ａ・４０ａをロックしないようにも操作できる。よって、前記操作により、左右両方の線引きマーカー３２・３２を引き上げて左右の線引きマーカーを非線引き作用姿勢にすることができる。従って、前記操作により、左右一方の線引きマーカー３２を自動的に切替えて左右一方の線引きマーカーを線引き作用姿勢にすることができるし、左右両方の線引きマーカー３２・３２を同時に線引き作用姿勢にすることもできる。
【００２４】
ロック機構Ｌは、そのケースＬ’に操作ワイヤ４０・４０のインナーワイヤー４０ａ・４０ａの油圧シリンダ側を挿通する２つのワイヤ挿通孔５２・５２を一側に設けた２つのソレノイド５３・５３（図面では一方のみを示す）から、そのプランジャ５４・５４が突・没する孔５５・５５が設けられている。また、ソレノイド５３・５３のプランジャ５４・５４は、ソレノイドコイルに通電されないときはバネ５６・５６によって孔５５・５５から突出して、プランジャの先端部が油圧シリンダ側のインナーワイヤー４０ａ末端部に連結したスライダーピン５７・５７の段差部５７’・５７’に係合してインナーワイヤ４０’・４０’の線引きマーカー側への移動を阻止する。ソレノイドコイルに通電されたときはバネ５６・５６に抗して孔５５・５５に没して、インナーワイヤー４０ａ・４０ａの線引きマーカー側への移動を許容する。
【００２５】
前記ソレノイド５３・５３の切換操作は、図７に示されるマーカスイッチＳＷ１によって行なわれる。このスイッチＳＷ１は、苗植装置１０への伝動を断続操作する操作レバー１７の切り操作一回ごとに交互に切り替わるように設けられている。また、マーカスイッチＳＷ１と電源（バッテリ）ＢＴ間には、メインスイッチＳＷ０が設けられている。更に、ソレノイド５３・５３のオン・オフと同期して点滅するマーカランプＬＭＰ（Ｒ）・ＬＭＰ（Ｌ）が設けられている。また、マーカスイッチＳＷ１とそこからソレノイド５３・５３につながる２つの回路の間に両回路を連通する回路を設け、その回路上にマーカー作動切替スイッチＳＷ２が設けられている。このマーカー作動切替スイッチＳＷ２がオフ状態にあるときは、旋回時の前記操作レバー１７の入り切り操作によってマーカースイッチＳＷ１が切り替わり、２つのソレノイド５３・５３が交互に励磁して、左右の線引きマーカー３２・３２が左右一方側のみ交互に倒伏して線引き作用位置に移動する作動状態となる。マーカー作動切替スイッチＳＷ２がオン状態にあるときは、旋回時の前記操作レバー１７の入り切り操作によってマーカースイッチＳＷ１が切り替わるのに関わらず、２つのソレノイド５３・５３が両方とも励磁して、左右の線引きマーカー３２・３２が左右両方側が共に倒伏して線引き作用位置に移動する作動状態となる。
【００２６】
７０は畦マーカーであって、杆体７１の先端を直角に曲げてその先に目立つ色のマーカー体７２を装着している。そして、その基端部には、孔７３と鍔状部７４とが設けられている。この畦マーカー７０を機体に装着するには、前述の線引きマーカー３２の係止ピン６７の把持部６７ｃを引っ張った状態で、線引きマーカー３２のパイプ６１の先端に畦マーカー７０の基端部をその鍔状部７４が当るまで差し込み、係止ピン６７のピン部６７ａが畦マーカー７０の孔７３に嵌まる位置で把持部６７ｃを離して、図１０の状態とすれば、畦マーカー７０は線引きマーカー３２の先端部に装着される。逆に、畦マーカー７０を外す場合には、線引きマーカー３２の係止ピン６７の把持部６７ｃを引っ張った状態で、畦マーカー７０をパイプ６１の先端から引き抜けば良い。
【００２７】
尚、ここで線引きマーカー３２及び畦マーカー７０を作用状態に下動させた時の機体に対する位置関係を図１３にて説明すると、この乗用型田植機は６条植えであるので機体の左右中央Ｃに対して左右対称に３条づつの全部で６条の苗列Ｐ…を植付ける。このとき、線引きマーカー３２の線引きマーカー体３２ａは、今植付けている６条の苗列の側方に機体が苗を植付ける際の機体の左右中央に当る位置に線を引く。また、図１３のように、畦マーカー７０のマーカー体７２を畦に合わせると、今植付けている６条の苗列Ｐ…と畦Ａ２との間に機体を走行させてちょうど６条の苗（仮想植付け位置Ｐ’）が植付けれる距離が保てるようにして苗の植付けが行える。一般的に条間を３０ｃｍとすると、図１３で、機体の左右中央Ｃと線引きマーカー体３２ａとの距離は１８０ｃｍ、機体の左右中央Ｃとマーカー体７２との距離は２８５ｃｍである。
【００２８】
４１は前工程で植付けた苗に位置合わせをして機体位置を確認する為の条合わせマーカーである。次に、上記の乗用型田植機にて田植作業を行う説明をする。先ず、施肥装置の肥料タンク１６に粒状肥料を入れ、苗載台１２に苗を載置し、各予備苗載台２４…に苗の入った育苗箱を載置する。
【００２９】
そして、例えば、図１１に示すような圃場（水田）で田植作業を行うには、右線引きマーカー３２の先端に畦マーカー７０を装着して、苗植装置１０を上昇させた状態で農道ＲＤから圃場出入口ＥＮＴより圃場内に入り、反対側の畦Ａ２際まで移動する。そして、マーカー作動切替スイッチＳＷ２をオン状態にして、操作レバー１７を下降位置に操作して各整地フロート１４・１５・１５が泥面に接地するまで苗植装置１０を下降させると、左右の線引きマーカー３２・３２が共に矢印ロ方向に下動して線引き作用位置になる（左右線引きマーカー３２・３２が共に線引き作用位置になったことを確認して、マーカー作動切替スイッチＳＷ２はオフ状態にしておく）。その時に、右側に装着された畦マーカー７０のマーカー体７２が畦Ａ２の畦際ライン上に位置するように操向しながら、その畦Ａ２に沿って植付走行する。このとき、左右線引きマーカー体３２ａ・３２ａは線引き作用状態であるから、機体の左右両側に各々ラインＬ１・Ｌ２を線引きしていく。また、畦マーカー７０のマーカー体７２が操縦座席８より前側に設けられているので、操縦者は前を向いたまま容易にその確認をすることができる。
【００３０】
そして、農道ＲＤに沿う畦Ａ３側からそれに対向する畦Ａ４側まで植付走行したら、植付作業を停止して苗植装置１０を上昇させて次の行程へ旋回する。このとき、苗植装置１０は、泥面から高く上昇させるから、線引き作用姿勢にあった左右線引きマーカー３２・３２は引き上げられて起立する。この時、この圃場では、畦マーカー７０はもう使用しないので、外しておいても良い。
【００３１】
旋回後、操作レバー１７にて苗植装置１０を下降させて同様に植付作業を行うが、前行程で線引きされたセンターラインＬ２に機体の左右中央に設けられたセンターマスコット５３が位置するように操向して、畦Ａ４側から畦Ａ３側に向かって植付走行すると、前行程で植付けられた苗の隣接条から所定の条間隔（３０ｃｍ）で苗を植付けていくことができる。このとき、畦Ａ１側（右側）の線引きマーカー体３２ａのみを線引き作用状態に切替えてセンターラインＬ３を線引きしていく。
【００３２】
以下、旋回して苗植装置１０を泥面まで下降させると、前行程で線引き作用姿勢にあった側とは反対側の線引きマーカー３２が線引き作用姿勢に自動的に切替わる。これは、次行程に移るときに必ず一旦苗植装置１０への操作レバー１７を切りに操作するので、その切り操作に連動してマーカースイッチＳＷ１が切り替わるからである。
【００３３】
このようにして、畦Ａ１側に向けて往復植付走行し、畦Ａ１との間に残り一行程分までになったら、図１２のように、出入口ＥＮＴ側から畦Ａ２に向かって畦Ａ３沿いに枕地植付走行し、次に、はじめに一行程分あけられていた行程を畦Ａ３から畦Ａ４に向かって植付走行し、更に、畦Ａ２から畦Ａ１に向かって枕地植付走行し、最後に、畦Ａ１との間に一行程分残されていた行程を出入口ＥＮＴに向かって畦Ａ１沿いに植付走行して、出入口ＥＮＴから農道ＲＤ上に抜け出る。この周回植付走行のときは、左右の線引きマーカー体３２ａ・３２ａを非線引き作用状態に切替え（メインスイッチＳＷ０をオフ状態にする）、畦際ライン上或は隣接植付苗上に条合せマーカー体５１ａが位置するように操向する。以上のようにすれば、圃場の四隅に未植付エリアが生じず効率の良い田植えができる。
【００３４】
一方、上記の植付作業と同時に、施肥装置により苗植付位置の側方の圃場中に粒状肥料が施肥される。そして、植付作業中に苗載台１２上の苗が残り少なくなると、機体を停止させてペダル２７を踏んで予備苗載台２４を図２に実線にて示す位置から９０度回転させた位置に回動して固定して、作業者は苗掬い板２６にて予備苗載台２４上の育苗箱から苗を掬い出して苗載台１２に供給する。このように予備苗載台２４を後方に回動させておくと、左右予備苗載部１８・１８の予備苗載台２４と苗載台１２との距離が短くなるので作業性が非常に良い。
【００３５】
更に、田植作業を進めて左右予備苗載部１８・１８の苗が無くなると、機体前端を畦に近付けて、予備苗載台２４を図２に実線にて示す位置に戻して、畦より予備苗載台２４に苗を補給する。そして、田植作業を終えて機械を納屋等に収納する場合には、左右予備苗載台２４を図２の矢印ハの終端位置まで略１８０度回転させた機体内方に収納した位置とすれば、左右予備苗載部１８・１８に左右線引きマーカー３２・３２が装着されているので、左右予備苗載台２４と左右線引きマーカー３２・３２とが共に容易に収納されて、機械の収納スペースが狭くて済む。
【００３６】
尚、上記実施例では、畦マーカー７０を右側の線引きマーカー３２に装着する田植作業を説明したが、圃場の条件によっては、畦マーカー７０を左側の線引きマーカー３２に装着して同様に田植作業を行うこともできる。また、上記実施例では、畦マーカー７０を左右線引きマーカー３２・３２に対して脱着式の例を示したが、左右線引きマーカー３２・３２に釣竿のように伸縮式の畦マーカー７０・７０を各々装着して、使用時に前記実施例の図１３と同様の状態に伸ばして使うようにしても良い。
【産業上の利用可能性】
【００３７】
本発明は、乗用型田植機等の苗植機に適用できる。
【図面の簡単な説明】
【００３８】
【図１】乗用型田植機の全体平面図である。（実施例１）
【図２】要部の拡大平面図である。（実施例１）
【図３】要部の拡大正面図である。（実施例１）
【図４】要部の拡大正面図である。（実施例１）
【図５】要部の作用を示す作用説明図である。（実施例１）
【図６】線引きマーカーのロック機構の要部を示す左側面断面図。（実施例１）
【図７】線引きマーカーのロック機構の電気回路図。（実施例１）
【図８】線引きマーカーの要部正面図。（実施例１）
【図９】作用を示す線引きマーカーの要部正面図。（実施例１）
【図１０】線引きマーカーの要部拡大正面図。（実施例１）
【図１１】線引きマーカーと畦マーカーを用いて植付作業を行う場合の作用説明図。（実施例１）
【図１２】線引きマーカーと畦マーカーを用いて植付作業を行う場合の作用説明図。（実施例１）
【図１３】線引きマーカーと畦マーカーを用いて植付作業を行う場合の要部拡大背面図。（実施例１）
【図１４】従来の線引きマーカーを用いて植付作業を行う場合の作用説明図。（実施例１）
【符号の説明】
【００３９】
１  乗用型走行車体
８  操縦座席
９  リンク機構
１０  苗植装置
１８  左右予備苗載部
１９  支持フレーム
３２  左右線引きマーカー
７０  畦マーカー
【図１】
2004208700.tif 000003
【図２】
2004208700.tif 000004
【図３】
2004208700.tif 000005
【図４】
2004208700.tif 000006
【図５】
2004208700.tif 000007
【図６】
2004208700.tif 000008
【図７】
2004208700.tif 000009
【図８】
2004208700.tif 000010
【図９】
2004208700.tif 000011
【図１０】
2004208700.tif 000012
【図１１】
2004208700.tif 000013
【図１２】
2004208700.tif 000014
【図１３】
2004208700.tif 000015
【図１４】
2004208700.tif 000016